(57)【要約】【課題】頭部への装着性およびフィット感を向上させることができるウィッグベースまたはウィッグキャップと、当該ウィッグベースまたは当該ウィッグキャップを備えたウィッグを提供する。【解決手段】ウィッグ１００は、着用者の耳および襟足より全頭部を覆うことが可能な帽子状に形成されたウィッグベース１を備え、このウィッグベース１の裏面の後頭部６には、袋状体のパッド部２が一体に設けられている。袋状体のパッド部２は、下部が窪んだ略扇形に形成され、内部にポリウレタン発泡体８を充填可能となっている。パッド部２の少なくとも一部は、着用者の後頭部の盆の窪９（後頭部から首筋にかけての窪んだ部分）に位置するように、ウィッグベース１の裏面に縫い付けられており、盆の窪９に接触するようになっている。【選択図】図１
2019127678.tif 000002
【特許請求の範囲】
【請求項１】
内部にポリウレタン発泡体を充填可能な袋状体のパッド部を備え、
前記パッド部は、少なくとも一部が着用者の後頭部に位置する盆の窪に接触するように設けられていることを特徴とするウィッグベースまたはウィッグキャップ。
【請求項２】
前記パッド部を挿入可能なポケットをさらに備え、
前記パッド部が、前記ポケットから取り外し可能であることを特徴とする請求項１に記載のウィッグベースまたはウィッグキャップ。
【請求項３】
前記ポリウレタン発泡体が、前記パッド部の内部に均一に充填可能な粒状のものであることを特徴とする請求項１または２に記載のウィッグベースまたはウィッグキャップ。
【請求項４】
ポリウレタン発泡体からなるパッド部を備え、
前記パッド部は、少なくとも一部が着用者の後頭部に位置する盆の窪に接触するように設けられていることを特徴とするウィッグベースまたはウィッグキャップ。
【請求項５】
少なくとも前記パッド部の前記盆の窪に接触する側の面に、滑り止め部が設けられていることを特徴とする請求項１〜４のいずれか１項に記載のウィッグベースまたはウィッグキャップ。
【請求項６】
前記パッド部が、上底が下底より長い台形または下部が窪んだ略扇形に形成されていることを特徴とする請求項１〜５のいずれか１項に記載のウィッグベースまたはウィッグキャップ。
【請求項７】
前記ポリウレタン発泡体が、トルエンジイソシアネートとポリエーテルポリオールを主成分とし、
損失正接のピーク値に対応する温度とされるガラス転移温度が０℃以上４０℃以下であり、
温度０℃以上４０℃以下において、０．１Ｈｚ以上１００Ｈｚ以下の周波数領域における前記損失正接が０．４以上であり、
周波数０．１Ｈｚ以上１Ｈｚ以下の範囲での前記損失正接の平均値が、周波数１０Ｈｚ以上１００Ｈｚ以下の範囲での前記損失正接の平均値以下であることを特徴とする請求項１〜６のいずれか１項に記載のウィッグベースまたはウィッグキャップ。
【請求項８】
請求項１〜７のいずれか１項に記載のウィッグベースまたはウィッグキャップを備えたウィッグ。
【発明の詳細な説明】
【技術分野】
【０００１】
本発明は、ウィッグベース、ウィッグキャップ、およびウィッグに関するものである。
【背景技術】
【０００２】
従来、頭部に装着するウィッグ（かつら）は、人毛、人工毛髪などの毛髪体と、毛髪体が植毛されたウィッグベースとを備えるものが知られている。ウィッグベースは、着用者の頭部形状に合わせてサイズが決められるオーダーメイドタイプと、サイズがあらかじめ決められているレディメイドタイプ（既成品）とがある。既成品のウィッグベースは、一般的な頭部形状に合うように形成されているので、装着感を考慮したウィッグが、各種提案されている。例えば特許文献１には、頭部にフィットするように調整するためのアジャスタを備えたウィッグベースが開示されている。また、ウィッグを装着する前には、予めウィッグキャップ（インナーキャップとも呼ばれる）を頭部に装着しておくこともあるが、特許文献２に示したように、このウィッグキャップにおいては、頭部にフィットするように調整するためのアジャスタを備えたものがある。
【先行技術文献】
【特許文献】
【０００３】
【特許文献１】特開２０１１−１２７２２８号公報
【特許文献２】特開２０１７−００８４４８号公報
【発明の開示】
【発明が解決しようとする課題】
【０００４】
しかしながら、上記従来のウィッグベース、ウィッグキャップ、およびウィッグでは、後頭部が平らな絶壁型になっている人が装着した場合は、頭部にしっかりと固定しにくくずれたり脱落したりして、十分なフィット感が得られなかった。また、オーダーメイドタイプのウィッグでは、非常に手間がかかり、コスト高になるとともに、着用者に提供するのに時間がかかるという問題がある。
【０００５】
そこで、本発明は、このような事情に鑑みてなされたものであり、頭部への装着性およびフィット感を向上させることができるウィッグベース、ウィッグキャップ、およびウィッグを提供することを目的とする。
【課題を解決するための手段】
【０００６】
（１）  本発明のウィッグベースまたはウィッグキャップは、内部にポリウレタン発泡体を充填可能な袋状体のパッド部を備え、前記パッド部は、少なくとも一部が着用者の後頭部に位置する盆の窪に接触するように設けられていることを特徴とする。
【０００７】
（２）  上記（１）のウィッグベースまたはウィッグキャップにおいては、前記パッド部を挿入可能なポケットをさらに備え、前記パッド部が、前記ポケットから取り外し可能であることが好ましい。
【０００８】
（３）  上記（１）または（２）のウィッグベースまたはウィッグキャップにおいては、前記ポリウレタン発泡体が、前記パッド部の内部に均一に充填可能な粒状のものであることが好ましい。
【０００９】
（４）  別の観点として、本発明のウィッグベースまたはウィッグキャップは、ポリウレタン発泡体からなるパッド部を備え、前記パッド部は、少なくとも一部が着用者の後頭部に位置する盆の窪に接触するように設けられているものであってもよい。
【００１０】
（５）  上記（１）〜（４）のウィッグベースまたはウィッグキャップにおいては、少なくとも前記パッド部の前記盆の窪に接触する側の面に、滑り止め部が設けられていることが好ましい。
【００１１】
（６）  上記（１）〜（５）のウィッグベースまたはウィッグキャップにおいては、前記パッド部が、下部が窪んだ略扇形に形成されていることが好ましい。
【００１２】
（７）  上記（１）〜（６）のウィッグベースまたはウィッグキャップにおいては、前記ポリウレタン発泡体が、トルエンジイソシアネートとポリエーテルポリオールを主成分とし、損失正接のピーク値に対応する温度とされるガラス転移温度が０℃以上４０℃以下であり、温度０℃以上４０℃以下において、０．１Ｈｚ以上１００Ｈｚ以下の周波数領域における前記損失正接が０．４以上であり、周波数０．１Ｈｚ以上１Ｈｚ以下の範囲での前記損失正接の平均値が、周波数１０Ｈｚ以上１００Ｈｚ以下の範囲での前記損失正接の平均値以下であることが好ましい。
【００１３】
（８）  本発明のウィッグは、上記（１）〜（７）のうちいずれかのウィッグベースまたはウィッグキャップを備えていることを特徴とする。
【００１４】
本発明によれば、頭部への装着性およびフィット感を向上させることができ、着用者は、頭部に良好なフィット感を得ることができるウィッグベースまたはウィッグキャップ、および、当該ウィッグベースまたは当該ウィッグキャップを備えたウィッグを提供できる。
【００１５】
また、本発明に係るウィッグベース、ウィッグキャップ、およびウィッグによれば、後頭部が平らな絶壁型になっている人が装着する場合においても、着用者は、容易に装着を行うことができ、十分なフィット感を得ることができる。特に、本発明に係るウィッグベース、ウィッグキャップ、およびウィッグによれば、着用者自身で容易に頭部への装着性およびフィット感を調整することができる。
【００１６】
また、本発明に係るウィッグベース、ウィッグキャップ、およびウィッグによれば、パッド部内のポリウレタン発泡体の量、形状、サイズを変更したり、位置を調整したりすることで、後頭部の形状を調整することができる。すなわち、本発明に係るウィッグベース、ウィッグキャップ、およびウィッグの装着者の頭部の全体形状のバランスをとることができ、引いては当該装着者の頭部の全体形状を美しく見せることができる。
【図面の簡単な説明】
【００１７】
【図１】本発明の実施の形態におけるウィッグの装着時の状態を示す側面図である。
【図２】本発明の実施の形態におけるウィッグの装着時の状態を示す背面図である。
【図３】本発明の実施の形態におけるウィッグのパッド部を示す正面図である。
【発明を実施するための形態】
【００１８】
以下、本発明の実施の形態について、図１〜図３に基づいて説明する。図１および図２において、本発明の実施の形態におけるウィッグ１００は、着用者の耳および襟足より全頭部を覆うことが可能な帽子状に形成されたウィッグベース１を備え、このウィッグベース１の裏面の後頭部６には、袋状体のパッド部２が一体に設けられている。なお、ウィッグベース１の裏面とは、着用者の毛髪または頭皮に触れる面を意味する。
【００１９】
ウィッグベース１は、合成繊維素材により形成された柔軟なネット状部材を主体として或いは部分的に軟質合成樹脂製の人工皮膚を配設して構成され、図示を省略するが、人毛および／または人工毛髪が全体に植毛されている。また、ウィッグベース１は、前頭部３、頭頂部４、側頭部５、後頭部６、およびネープ部７（うなじ部分）の領域を備える。なお、ウィッグベース１の頭部への取り付け、固定方法などは、公知の各種の方式を採用することができる。また、ウィッグベース１を構成するネット状部材の材料に、綿、麻、絹などの天然繊維を用いてもよい。また、ウィッグベース１を構成するネット状部材は、一枚の生地からなる一体成形物であってもよいし、複数枚の生地を縫製または接着して成形したものであってもよい。
【００２０】
図２および図３に示すように、袋状体のパッド部２は、下部が窪んだ略扇形に形成され、内部にポリウレタン発泡体８を充填可能となっている。そして、図１に示すように、パッド部２の少なくとも一部は、着用者の後頭部の盆の窪９（後頭部から首筋にかけての窪んだ部分）に位置するように、ウィッグベース１の裏面に縫い付けられており、盆の窪９に接触するようになっている。ここで、ポリウレタン発泡体８は微小な粒状のものであり、このポリウレタン発泡体８が、パッド部２の内部に多数、均一に充填されている。また、パッド部２の内部に多数の微小なポリウレタン発泡体８を充填することにより、パッド部２の形状は後頭部６の形状に倣いやすくなる。その結果として、パッド部２は、後頭部６にフィットしやすくなる。
【００２１】
なお、ポリウレタン発泡体８は、製造の容易さから、約５ｍｍ角の立方体のものが好ましいが、長方体、球体、円柱体、三角錐体など、他の形状のものであってもよく、大きさも装着者の好みに合わせて適宜変更してもよい。また、パッド部２は、長手方向の長さが約８ｃｍ〜９ｃｍ、短手方向の長さが約３ｃｍのものが好ましい。また、パッド部２の厚みは、約１．５ｃｍが好ましい。このようなパッド部２の場合、着用者が首を上に動かしてもウィッグベース１のネープ部７の上縁に引っ掛からないようになる。また、着用者の頭部形状などに応じて、ポリウレタン発泡体８の充填量を適宜変更することができ、パッド部２の厚みは調整可能となっている。
【００２２】
また、ポリウレタン発泡体８は、人体からの伝熱によって硬度を低下させ、体表面の形状に追従させて変形させて使用することができる形状追従性を有するものであり、安静時には人体に良好にフィットするとともに、運動時には優れた装着性および保持性を有するものである。
【００２３】
例えば、トルエンジイソシアネートとポリエーテルポリオールを主成分とし、損失正接のピーク値に対応する温度とされるガラス転移温度が０℃以上４０℃以下であり、温度０℃以上４０℃以下において、０．１Ｈｚ以上１００Ｈｚ以下の周波数領域における損失正接が０．４以上であり、周波数０．１Ｈｚ以上１Ｈｚ以下（安静時の人体体表面の周波数）の範囲での損失正接の平均値が、周波数１０Ｈｚ以上１００Ｈｚ以下（運動時の人体体表面の周波数）の範囲での損失正接の平均値以下であるポリウレタン発泡体８が好ましい。さらに、上記ポリウレタン発泡体８において、トルエンジイソシアネートが、２，４−トルエンジイソシアネートと２，６−トルエンジイソシアネートとが６５：３５〜８０：２０の比率で混合され、ポリエーテルポリオールが、数平均分子量が７００以上３０００以下のポリオキシプロピレントリオール、数平均分子量が４００以上２０００以下のポリオキシプロピレンジオール、または、ポリオキシプロピレントリオールとポリオキシプロピレンジオールの混合物であることがより好ましい。
【００２４】
また、上記ポリウレタン発泡体８において、周波数０．１Ｈｚ以上１Ｈｚ以下の範囲での損失正接の平均値に対する周波数１０Ｈｚ以上１００Ｈｚ以下の範囲での損失正接の平均値の変化の割合が、０％以上１０％以下であることが好ましい。また、上記ポリウレタン発泡体８において、ポリエーテルポリオールとトルエンジイソシアネートとが、１００：３９．２１〜１００：４８．７７（質量比）の比率で配合されることが好ましい。
【００２５】
このように構成されたウィッグ１００を装着する場合は、図１に示すように、ウィッグベース１を着用者の前額部１０と盆の窪９とで引っ掛けて、頭部全体を覆うようにして装着する。このとき、パッド部２の内部のポリウレタン発泡体８が着用者の後頭部の頭皮に接触することで、ポリウレタン発泡体８の硬度が低下して柔軟になり、パッド部２は接触部分の形状に追従して変形し、その形状が保持されるようになる。したがって、着用者の盆の窪９にフィットするようになり、ウィッグベース１が頭部からずれにくくなり、ウィッグ１００の装着性およびフィット感を向上させることができ、着用者は、頭部に良好なフィット感を得ることができるようになる。
【００２６】
また、後頭部が平らな絶壁型になっている人が装着する場合においても、ポリウレタン発泡体８による袋状体のパッド部２の膨らみ（厚み）を調整することで、後頭部６に丸みを持たせ盆の窪９に引っ掛け易くなり、着用者は、ウィッグ１００の装着を容易に行うことができる。また、ポリウレタン発泡体８は優れた装着性および保持性を有するので、ウィッグベース１が頭部からずれにくくなり、着用者は、十分なフィット感を得ることができるようになる。
【００２７】
また、ウィッグ１００によれば、パッド部２内のポリウレタン発泡体８の量、形状、サイズを変更したり、位置を調整したりすることで、後頭部の形状を調整することができる。すなわち、ウィッグ１００の装着者の頭部の全体形状のバランスをとることができ、引いては当該装着者の頭部の全体形状を美しく見せることができる。
【００２８】
以上、本発明の実施の形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００２９】
［他の実施形態］
上記実施形態においては、パッド部の内部に充填されるポリウレタン発泡体の形状が立方体である例が記載されているが、ポリウレタン発泡体の形状は特に限定されることはなく、例えば、直方体、球体などであってもよい。また、１枚のシート状のポリウレタン発泡体をパッド部の内部に充填してもよい。
【００３０】
また、上記実施形態においては、袋状体のパッド部がウィッグベースの裏面に縫い付けられ、ウィッグベースと一体に設けられている例が記載されているが、本発明はこれには限定されない。例えば、袋状体のパッド部は、ウィッグベースの表面に縫い付けられ、ウィッグベースと一体に設けられていてもよい。
【００３１】
また、本発明のウィッグは、ウィッグベースの表面または裏面にポケットを設け、このポケットに袋状体のパッド部を挿入して装着するように構成したものであってもよい。この場合、着用者が自分でパッド部をウィッグベースから取り外し、パッド部内のポリウレタン発泡体の充填量を変更することができるため、着用者自身が容易にウィッグの頭部への装着性およびフィット感を調整することができるようになる。
【００３２】
また、本発明のウィッグは、ウィッグベースの代わりにウィッグ本体の内面に着脱可能なウィッグキャップに、袋状体のパッド部が設けられているように構成したものであってもよい。この場合においても、上記実施形態と同様の作用および効果を奏することができる。
【００３３】
また、パッド部と、ウィッグベースまたはウィッグキャップの内面とは、面ファスナーを用いて着脱可能にしたものであってもよい。
【００３４】
また、少なくともパッド部の盆の窪に接触する側の面に、シリコンまたはシリコンを含む材料などで形成された滑り止め部が設けられていてもよい。
【００３５】
また、パッド部は、必ずしも袋状体のものに入れたものでなくてもよく、ポリウレタン発泡体からなるものであってもよい。さらに、ポリウレタン発泡体からなるパッド部の少なくともパッド部の盆の窪に接触する側の面または全表面に、シリコンなどで形成された滑り止め部が設けられていてもよい。
【００３６】
（実施例）
下記表１に示したように、上記実施形態と同様のウィッグキャップについて、着用者に実際に装着してもらい、官能試験を行った。なお、パッド部に使用した上記ポリウレタン発泡体８には、株式会社ＳＭＰテクノロジーズ製の商品名「ＳＭＰ Ｆｏａｍ」を用いた。この「ＳＭＰ Ｆｏａｍ」は、上記ポリウレタン発泡体８の一例である。また、このポリウレタン発泡体を下記表１に示した各試料の形態（写真参照）に加工して使用した。また、パッド部は、厚みが３ｍｍ程度のマジックテープ（登録商標）を用いてウィッグキャップの内側から、着用者の盆の窪の位置に対応する位置に貼り付けた。また、着用者（被験者）には、本ウィッグキャップの着用時において、盆の窪の位置にパッド部が位置するように着用してもらった。
【表１】
2019127678.tif 000003
【００３７】
なお、表２に、上記試料１、２を用いたウィッグキャップについて、各着用者に対して行った本官能試験に関する質問および回答を示す。ここで、たとえば、「Ｓサイズ  ５１ｃｍ〜５４ｃｍ」とは、着用者の頭部の周囲サイズが５１ｃｍ〜５４ｃｍのＳサイズであって、この範囲で着用者の頭部に適用可能なウィッグキャップを官能試験に使用したことを示す。また、「安定性はあるか」の質問は、ウィッグキャップがずれにくいかという質問と同義である。「Ｍサイズ  ５５ｃｍ〜５７ｃｍ」も同様である。また、表３において、表２の回答をまとめ、今回の官能試験の全体評価を示した。
【表２】
2019127678.tif 000004
【表３】
2019127678.tif 000005
【００３８】
表３の結果から、試料１、２を使用したウィッグキャップについて、着用者から良好な回答を得ることができた。特に、滑り止め部となるシリコンで覆ったポリウレタン発泡体をパッド部として用いた試料２を取り付けたウィッグキャップについて、極めて良好な回答を得ることができた。したがって、本実施例により、本発明に係るウィッグキャップは、パッド部を盆の窪にフィットさせることができ、装着後、ずれにくいものにすることができる、ということがわかった。
【符号の説明】
【００３９】
１    ウィッグベース
２    パッド部
３    前頭部
４    頭頂部
５    側頭部
６    後頭部
７    ネープ部
８    ポリウレタン発泡体
９    盆の窪
１０    前額部
１００    ウィッグ
【図１】
2019127678.tif 000006
【図２】
2019127678.tif 000007
【図３】
2019127678.tif 000008
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
内部にポリウレタン発泡体を充填可能な袋状体のパッド部を備え、
前記パッド部は、少なくとも一部が着用者の後頭部に位置する盆の窪に接触するように設けられており、
前記ポリウレタン発泡体が、トルエンジイソシアネートとポリエーテルポリオールを主成分とし、
損失正接のピーク値に対応する温度とされるガラス転移温度が０℃以上４０℃以下であり、
温度０℃以上４０℃以下において、０．１Ｈｚ以上１００Ｈｚ以下の周波数領域における前記損失正接が０．４以上であり、
周波数０．１Ｈｚ以上１Ｈｚ以下の範囲での前記損失正接の平均値が、周波数１０Ｈｚ以上１００Ｈｚ以下の範囲での前記損失正接の平均値以下であることを特徴とするウィッグベースまたはウィッグキャップ。
【請求項２】
前記パッド部を挿入可能なポケットをさらに備え、
前記パッド部が、前記ポケットから取り外し可能であることを特徴とする請求項１に記載のウィッグベースまたはウィッグキャップ。
【請求項３】
前記ポリウレタン発泡体が、前記パッド部の内部に均一に充填可能な粒状のものであることを特徴とする請求項１または２に記載のウィッグベースまたはウィッグキャップ。
【請求項４】
ポリウレタン発泡体からなるパッド部を備え、
前記パッド部は、少なくとも一部が着用者の後頭部に位置する盆の窪に接触するように設けられていることを特徴とするウィッグベースまたはウィッグキャップ。
【請求項５】
少なくとも前記パッド部の前記盆の窪に接触する側の面に、滑り止め部が設けられていることを特徴とする請求項１〜４のいずれか１項に記載のウィッグベースまたはウィッグキャップ。
【請求項６】
前記パッド部が、上底が下底より長い台形または下部が窪んだ略扇形に形成されていることを特徴とする請求項１〜５のいずれか１項に記載のウィッグベースまたはウィッグキャップ。
【請求項７】
請求項１〜６のいずれか１項に記載のウィッグベースまたはウィッグキャップを備えたウィッグ。
【手続補正２】
【補正対象書類名】明細書
【補正対象項目名】０００６
【補正方法】変更
【補正の内容】
【０００６】
（１）  本発明のウィッグベースまたはウィッグキャップは、内部にポリウレタン発泡体を充填可能な袋状体のパッド部を備え、前記パッド部は、少なくとも一部が着用者の後頭部に位置する盆の窪に接触するように設けられており、前記ポリウレタン発泡体が、トルエンジイソシアネートとポリエーテルポリオールを主成分とし、損失正接のピーク値に対応する温度とされるガラス転移温度が０℃以上４０℃以下であり、温度０℃以上４０℃以下において、０．１Ｈｚ以上１００Ｈｚ以下の周波数領域における前記損失正接が０．４以上であり、周波数０．１Ｈｚ以上１Ｈｚ以下の範囲での前記損失正接の平均値が、周波数１０Ｈｚ以上１００Ｈｚ以下の範囲での前記損失正接の平均値以下であることを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
（７）  本発明のウィッグは、上記（１）〜（６）のうちいずれかのウィッグベースまたはウィッグキャップを備えていることを特徴とする。